(57)【特許請求の範囲】
【請求項１】
容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除されるようになっており、
前記蓋体の自動開放の途中で仮固定された前記蓋係止部材が前記肩部の当て壁に接触し、この接触で前記蓋係止部材が強制移動させられることにより仮固定が解除されることを特徴とする蓋付き容器。
【請求項２】
前記蓋係止部材が仮固定された状態で前記蓋体が開放停止位置から閉じられると、該蓋係止部材が前記肩部の第２の当て壁に接触し、この接触で前記蓋係止部材が強制移動させられることにより仮固定が解除される請求項１に記載の蓋付き容器。
【請求項３】
容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除されるようになっており、
前記蓋係止部材が仮固定された状態で前記蓋体が開放停止位置から閉じられると、該蓋係止部材が前記肩部の第２の当て壁に接触し、この接触で前記蓋係止部材が強制移動させられることにより仮固定が解除されることを特徴とする蓋付き容器。
【請求項４】
容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除されるようになっており、
前記蓋係止部材が前記蓋操作部材との係合により仮固定されることを特徴とする蓋付き容器。
【請求項５】
前記蓋係止部材が、押し下げ操作を受ける前記蓋操作部材と互いのテーパカム面で接触することにより前記肩部に対して反ロック方向に直線移動させられるスライダからなり、前記蓋係止部材と前記蓋操作部材は、該蓋操作部材の押し下げ操作により蓋係止部材側が蓋操作部材側に対してロック方向に接触し、かつ蓋操作部材側が蓋係止部材側に対して反ロック方向に接触する状態を維持しつつ、蓋係止部材側が上、かつ蓋操作部材側が下となる係合部を有しており、これら係合部で仮固定された前記蓋係止部材が前記蓋体の自動開放の途中で前記肩部との接触により反ロック方向に動かされている間に、これら係合部の上下の引っ掛かりが外れ、該蓋操作部材の係合部が前記第１復帰ばねの付勢により該蓋係止部材の係合部と係合不可能な位置に上昇させられる請求項４に記載の蓋付き容器。
【請求項６】
前記蓋係止部材の係合部は、このテーパカム面のロック方向端から下側に連続し、前記蓋操作部材の係合部は、このテーパカム面の反ロック方向端から上側に連続している請求項５に記載の蓋付き容器。
【請求項７】
容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除されるようになっており、
前記蓋係止部材が永久磁石の磁気吸引により仮固定されることを特徴とする蓋付き容器。
【請求項８】
容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除されるようになっており、
前記蓋係止部材が、押し下げ操作を受ける前記蓋操作部材と互いのテーパカム面で接触することにより前記肩部に対して反ロック方向に直線移動させられるスライダからなり、前記蓋体は、前記蓋係止部材の反ロック方向のスライド空間上に突き出たフック壁を有し、前記蓋操作部材は、押し下げ操作により前記フック壁に係合させられ、前記フック壁との係合で上昇を阻止された前記蓋操作部材により前記蓋係止部材が仮固定され、仮固定された前記蓋係止部材が前記蓋体の自動開放の途中で前記肩部との接触によりさらに反ロック方向に動かされることにより前記フック壁が押されて前記蓋操作部材との係合が外されることを特徴とする蓋付き容器。
【請求項９】
容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除されるようになっており、
前記蓋係止部材が、前記蓋操作部材に蓋内側の部分を押されて反ロック方向に回転することにより蓋外側のフック部を前記肩部から外されるフック部材からなり、前記蓋体は、前記蓋係止部材の反ロック方向の回転空間上に突き出たフック壁を有し、前記蓋係止部材は、前記蓋操作部材の押し下げ操作により反ロック方向に回転させられる途中に前記フック壁を押し退け、弾性回復した前記フック壁の回転止めにより仮固定されることを特徴とする蓋付き容器。
【請求項１０】
容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除されるようになっており、
前記蓋係止部材が、蓋内側の部分を前記蓋操作部材に押されて反ロック方向に回転することにより蓋外側のフック部を前記肩部から外されるフック部材からなり、前記蓋体は、前記蓋係止部材の反ロック方向の回転空間上に突き出た前進位置と、その回転空間上から退避した後退位置との間を進退可能、かつ前進位置に復帰するようにばね付勢されたロックスライダを備え、前記蓋係止部材は、前記蓋操作部材の押し下げ操作により反ロック方向に回転させられる途中に前記ロックスライダを前進位置から後退位置に押し退け、このロックスライダが復帰後に行う回転止めにより仮固定されることを特徴とする蓋付き容器。
【請求項１１】
請求項１乃至１０のいずれか１つに記載の蓋付き容器に内鍋が収容される電気炊飯器。
【発明の詳細な説明】
【技術分野】
【０００１】
この発明は、電気炊飯器のように、容器の上面に空いた収容口を開閉する蓋体を備えた蓋付き容器に関する。
【背景技術】
【０００２】
この種の蓋付き容器として、蓋体を開放方向に付勢する蓋開成ばねを備え、さらに、蓋開成ばねの付勢により蓋体が勝手に開くことを防止するため、蓋係止部材によって蓋体を容器の肩部に係止するための蓋係止部材と、またその係止を解除するための蓋操作部材とを備えたものがある。
【０００３】
ここで、蓋係止部材と蓋操作部材の配置形式として、上記の蓋係止部材と蓋操作部材を器体側に設け、その蓋係止部材を蓋体の一部に係合させる形式と、逆に蓋係止部材と蓋操作部材を蓋体に組み込み、その蓋係止部材を肩部に係合させる形式とがある。
【０００４】
上記２つの形式のうち、蓋係止部材と蓋操作部材を蓋体に組み込む形式においては、蓋操作部材の押し下げ操作により蓋係止部材が押し動かされて肩部との引っ掛かりが外されるようになっている。蓋係止部材の引っ掛かりが外されると、蓋体は、蓋開成ばねの付勢により自動的に開放停止位置まで開き切るようになっている。押し下げ操作を受けた蓋操作部材は、指が離された後、ばね付勢により自動的に操作待受位置に復帰するようになっている。また、引っ掛かりが外された蓋係止部材も、ばね付勢により肩部と引っ掛かる位置に自動的に復帰し、その後、蓋体の閉じ動作のとき、肩部との当りで押し逃された状態が維持され、やがて正規の位置でばね付勢により肩部と引っ掛かる位置に自動的に復帰するようになっている。この復帰により蓋体が閉じ位置に係止される。
この形式においては、蓋操作部材の押し下げ操作により、蓋体は自動的に開放されるが、その蓋操作部材を押し下げる指が速やかに離されるため、蓋係止部材がばね付勢により再び肩部に引っ掛かってしまい、意図せずに蓋体の開放をし損なう、いわゆる再掛りを生じることがある。
【０００５】
上記のような再掛りを防止するために、従来、肩部の係合凹部に、蓋係止部材の先端部を係合させて蓋体を閉じ位置に維持するようなっており、係合凹部の下方にコイルばねによって上向きに付勢された邪魔部材が上下動自在に設けられた蓋付き容器が利用されている（特許文献１参照）。
蓋体を閉める際は、蓋係止部材の先端部が邪魔部材を押し下げながら係合凹部に係合される。また、蓋体を開ける際は、蓋操作部材が押下げられ、その結果、蓋係止部材が引っ掛かりの外れる反ロック方向に移動させられると、蓋係止部材の先端部が係合凹部と邪魔部材との間から抜け出し、その抜け出しと同時に邪魔部材が上昇して係合凹部に当たるようになっている。このため、蓋係止部材の引っ掛かりが外された後、直ちに蓋操作部材から指先が離されても、蓋係止部材の先端部が邪魔部材の側面に当たり、係合凹部に係合することができず、再掛りが防止される。
【０００６】
上記の再掛り防止機構に代えて、蓋体と肩部の対向面のいずれか一方の対向面に弾性部材を取付け、この弾性部材を閉蓋状態において他方の対向面との間で圧縮させるようにした蓋付き容器もある（特許文献２参照）。
蓋係止部材が肩部から外れると同時に、蓋開成ばねの付勢に加えて、弾性部材の弾性反発により蓋体が押し上げられる。このように、開放初期に蓋体の開放速度を高めると、蓋係止部材が再び引っ掛かり位置に復帰する前に、蓋体の開放により蓋係止部材がもはや引っ掛かり不可能な位置まで移動させられるので、再掛りを防止することができる。また、蓋開成ばね自体の付勢は従来と同じに設定し、蓋体の開放初期のみ弾性部材の反発で付勢を強化することができるため、蓋開成ばね自体の付勢を強めることのみで再掛りを防止することと比して、蓋体が開放停止位置で強制停止させられるときの衝撃を弱めることができる。また、弾性部材の反発に代えて、永久磁石同士の反発を利用しても同じである。
【０００７】
【特許文献１】特開平２−１７０１５号公報
【特許文献２】特開２０００−１４５３８号公報
【発明の開示】
【発明が解決しようとする課題】
【０００８】
しかしながら、前掲の特許文献１の再掛り防止機構は、肩部に邪魔部材を組み込むための孔を要し、邪魔部材が上下動する間隙から水が侵入する恐れがある。
【０００９】
前掲の特許文献２の蓋付き容器は、蓋体の閉じ動作により、蓋体と肩部との間に蓋開成ばねの付勢を上回る加速度を得ることが可能な強い弾性的又は磁気的な反発力を蓄積する構成のため、蓋体を閉じる最後にその操作が急に重くなってしまう。特に、弾性部材が合成ゴムからなる場合、経年劣化により、弾性反発力が弱まり、再掛り防止の効果を維持することができなくなる。
【００１０】
上記の事情に鑑み、この発明の課題は、蓋付き容器に備わる蓋体の再掛りを、肩部に孔を空けることなく、しかも蓋体を閉じる操作が重くならないように確実に防止することである。
【課題を解決するための手段】
【００１１】
上記課題を解決するため、この発明は、容器の上面に空いた収容口をヒンジ軸回りに開閉する蓋体と、この蓋体に組み込まれた蓋操作部材の押し下げ操作により前記容器の肩部との引っ掛かりを外される蓋係止部材と、前記蓋体を開放方向に付勢する蓋開成ばねと、前記蓋操作部材を操作待受位置に向かって付勢する第１復帰ばねと、前記蓋係止部材を前記肩部と引っ掛かる位置に向かって付勢する第２復帰ばねとを備えた蓋付き容器において、前記蓋係止部材は、前記蓋操作部材の押し下げ操作により前記肩部との引っ掛かりを外された位置に前記蓋体の内部で仮固定され、その仮固定された蓋係止部材は、前記蓋体の自動開放が進んで前記肩部に引っ掛かり不可能な位置に上昇した後に仮固定が解除される構成を採用した。
ここで、この発明において、「肩部と引っ掛かる位置」とは、自動開放の停止位置にある蓋体を閉じることにより肩部と蓋係止部材が上下に重なり、蓋開成ばねの付勢に抗して肩部により蓋体の開放が阻止される位置のことをいう。
また、「操作待受位置」とは、蓋操作部材が蓋体の外面に露出し、上方から押し下げ操作が可能になる位置である。
【００１２】
この発明によれば、蓋係止部材は、蓋操作部材の押し下げ操作により肩部との引っ掛かりを外された位置に仮固定される。この仮固定は、蓋体の自動開放が進んで蓋係止部材が肩部に引っ掛かり不可能な位置に上昇した後に解除される。このため、再掛りが確実に防止される。仮固定が解除された後は、蓋係止部材を肩部に引っ掛けることができる。
しかも、その仮固定は、蓋体の内部で行われるため、肩部に孔を空ける必要がない。
上記のように蓋係止部材を仮固定するため、再掛りを防止する目的で蓋体を閉じる操作が重くなることはない。
その仮固定に要する力（仮固定力）は、蓋体全体と比して明らかに軽質量の蓋係止部材を付勢する第２復帰ばねに抗する程度である。仮固定の仕組みによっては、仮固定力が蓋操作部材の押し下げ操作を何らかの形で重くする側に影響し得る。仮に影響するとしても、特許文献２のように蓋体全体という大質量を加速させる反発力に抗する操作負担に比して、蓋係止部材を仮固定する方が明らかに負担を軽くすることができる。したがって、蓋係止部材を仮固定する方が有意義である。
【００１３】
具体的には、前記蓋体の自動開放の途中で仮固定された前記蓋係止部材が前記肩部の当て壁に接触し、この接触で前記蓋係止部材が強制移動させられることにより仮固定が解除される構成を採用することができる。
この構成によれば、蓋体の自動開放の途中で、仮固定された蓋係止部材と肩部の当て壁との接触により、仮固定の解除に十分な力を蓋係止部材に与え、これにより蓋係止部材を強制移動させて仮固定を自動的に解除することができる。このように、仮固定により再掛りを防止した後、肩部のカム部と蓋体の自動開放とを利用して仮固定を自動的に解除すれば、手動操作による仮固定解除の煩わしさがない。
【００１４】
また、前記蓋係止部材が仮固定された状態で前記蓋体が開放停止位置から閉じられると、該蓋係止部材が前記肩部の第２の当て壁に接触し、この接触で前記蓋係止部材が強制移動させられることにより仮固定が解除される構成を採用することができる。
蓋体を開放停止位置から閉じるとき、誤って蓋操作部材を押し下げてしまい、蓋係止部材が仮固定される恐れがある。
この構成によれば、蓋係止部材が仮固定された状態で蓋体が開放停止位置から閉じられても、仮固定された蓋係止部材と肩部の第２の当て壁との接触により、仮固定の解除に十分な力を蓋係止部材に与え、これにより蓋係止部材を強制移動させて仮固定を自動的に解除することができる。このため、蓋操作部材の誤操作があっても問題なく蓋体が閉じられる。
【００１５】
上記の仮固定を実現する手段は、特に限定されず、蓋係止部材の作動機構や蓋操作部材の作動機構に応じて種々の機構を採用することができる。
【００１６】
例えば、前記蓋係止部材が前記蓋操作部材との係合により仮固定される構成を採用すれば、蓋係止部材と蓋操作部材を利用して仮固定を行うことができる。
【００１７】
より具体的には、前記蓋係止部材が、押し下げ操作を受ける前記蓋操作部材と互いのテーパカム面で接触することにより前記肩部に対して反ロック方向に直線移動させられるスライダからなり、前記蓋係止部材と前記蓋操作部材は、該蓋操作部材の押し下げ操作により蓋係止部材側が蓋操作部材側に対してロック方向に接触し、かつ蓋操作部材側が蓋係止部材に対して反ロック方向に接触する状態を維持しつつ、蓋係止部材側が上、かつ蓋操作部材側が下となる係合部を有しており、これら係合部で仮固定された前記蓋係止部材が前記蓋体の自動開放の途中で前記肩部との接触により反ロック方向に動かされている間に、前記上下の重なりが外れ、該蓋操作部材の係合部が前記第１復帰ばねの付勢により該蓋係止部材の係合部と係合不可能な位置に上昇させられる構成を採用することができる。
この発明において、「ロック方向」とは、蓋係止部材が「肩部と引っ掛かる位置」と「肩部との引っ掛かりが外れた位置」との間を移動する方向のうち、「肩部と引っ掛かる位置」に向かって移動する方向をいい、「反ロック方向」とは、ロック方向と反対に「肩部との引っ掛かりが外れた位置」に向かって移動する方向をいう。
上記の直線スライダ方式の蓋係止部材及び蓋操作部材は、従来から蓋付き容器で周知である。
蓋係止部材の係合部が蓋操作部材の押し下げ操作により蓋操作部材の係合部の上に重なるようにすれば、第１復帰ばねによる付勢に抗して蓋操作部材の上昇を阻止することができる。両部材の係合部は、該蓋操作部材の押し下げ操作により蓋係止部材側が蓋操作部材側に対してロック方向に接触し、かつ蓋操作部材側が蓋係止部材側に対して反ロック方向に接触する状態を維持しつつ、蓋係止部材側が上、かつ蓋操作部材側が下となる。このため、蓋操作部材の上昇が蓋係止部材で阻止されるまで、蓋係止部材のロック方向動を阻止することができる。
仮固定された前記蓋係止部材が前記蓋体の自動開放の途中で前記肩部との接触により反ロック方向に動かされるようにすれば、その動きで両部材の係合部の上下の重なりを外すことができる。この状態で、第１復帰ばねの付勢を利用し、蓋操作部材の係合部が該蓋係止部材の係合部と係合不可能な位置に上昇させ、係合を解除することができる。
上記のように、この構成によれば、従来の直線スライダ方式の蓋係止部材及び蓋操作部材、第１復帰ばねを利用した単純な構成で仮固定を実現することができる。
【００１８】
より好ましくは、前記蓋係止部材の係合部は、このテーパカム面のロック方向端から下側に連続し、前記蓋操作部材の係合部は、このテーパカム面の反ロック方向端から上側に連続している構成を採用するとよい。
この構成によれば、蓋操作部材の押し下げ操作により、蓋操作部材の係合部をテーパカム面を通過した後、引き続き蓋係止部材の係合部の下に重ねることができる。このため、両部材のテーパカム面を利用して両部材の係合部を確実に係合位置に導くことができる。
【００１９】
別の例として、前記蓋係止部材が永久磁石の磁気吸引により仮固定される構成を採用することができる。
この構成によれば、永久磁石の磁気吸引で仮固定を行うため、摩耗によって仮固定が甘くなる心配がない。
【００２０】
さらに、別の例として、前記蓋係止部材が、押し下げ操作を受ける前記蓋操作部材と互いのテーパカム面で接触することにより前記肩部に対して反ロック方向に直線移動させられるスライダからなり、前記蓋体は、前記蓋係止部材の反ロック方向のスライド空間上に突き出たフック壁を有し、前記蓋操作部材は、押し下げ操作により前記フック壁に係合させられ、前記フック壁との係合で上昇を阻止された前記蓋操作部材により前記蓋係止部材が仮固定され、仮固定された前記蓋係止部材がさらに反ロック方向に動かされていることにより前記フック壁が押されて前記蓋操作部材との係合が外される構成を採用することができる。
この構成によれば、蓋操作部材と蓋係止部材の直接係合によらず、蓋係止部材を仮固定することができる。
【００２１】
また、別の例として、前記蓋係止部材が、前記蓋操作部材に蓋内側の部分を押されて反ロック方向に回転することにより蓋外側のフック部を前記肩部から外されるフック部材からなり、前記蓋体は、前記蓋係止部材の反ロック方向の回転空間上に突き出たフック壁を有し、前記蓋係止部材は反ロック方向の回転中に前記フック壁を押し退け、弾性回復した前記フック壁の回転止めにより仮固定される構成を採用することができる。
この構成によれば、フック壁を設けるだけで蓋係止部材の回転動作を利用した仮固定を実現することができる。
【００２２】
また、別の例として、前記蓋係止部材が、蓋内側の部分を前記蓋操作部材に押されて反ロック方向に回転することにより蓋外側のフック部を前記肩部から外されるフック部材からなり、前記蓋体は、前記蓋係止部材の反ロック方向の回転空間上に突き出た前進位置と、その回転空間上から退避した後退位置との間を進退可能、かつ前進位置に復帰するようにばね付勢されたロックスライダを備え、前記蓋係止部材は反ロック方向の回転中に前記ロックスライダを前進位置から後退位置に押し退け、このロックスライダが復帰後に行う回転止めにより仮固定される構成を採用することができる。
この構成によれば、蓋係止部材の回転動作を利用した仮固定とその解除を実現することができ、ばね付勢されたロックスライダの進退による仮固定のため、上記フック壁の弾性変形を利用した仮固定の構成と比して繰り返し疲労に対する耐久性を容易に確保することができる。
【００２３】
この発明は、電気炊飯器に好適である。すなわち、肩部に孔を空けることなく再掛りを防止することができるため、前記肩部の収容口から内鍋を出し入れするときに水がこぼれても器体内に浸水しない。
【発明の効果】
【００２４】
上述のように、この発明は、蓋係止部材を仮固定することにより再掛りを防止したため、蓋付き容器に備わる蓋体の再掛りを、肩部に孔を空けることなく、しかも蓋体を閉じる操作が重くならないように確実に防止することができる。
【発明を実施するための最良の形態】
【００２５】
以下、この発明に係る実施形態を添付図面に基いて説明する。
図１〜図３に示すように、第１実施形態に係る蓋付き容器（以下、単に「第１実施形態」と略称する。）は、電気炊飯器の器体を構成している。容器１０は、上面に開放する収容口１１から内胴内に内鍋１２が収容されるようになっている。収容口１１は、蓋体２０により開閉され、容器１０の外面上端を構成する肩部１３に周りを囲まれている。肩部１３は、胴部と上下に嵌合される外殻部材になっている。また、第１実施形態は、蓋体２０に組み込まれた蓋操作部材３０の押し下げ操作により肩部１３との引っ掛かりを外される蓋係止部材４０と、蓋体２０を開放方向に付勢する蓋開成ばね２１と、蓋操作部材３０を操作待受位置に向かって付勢する第１復帰ばね３１と、蓋係止部材４０を肩部１３と引っ掛かる位置に向かって付勢する第２復帰ばね４１とを備えている。
【００２６】
蓋体２０のヒンジ軸２２は、肩部１３の一端部（図１において右端部）に配置されている。肩部１３の他端部（図１において左端部）に機器制御の入力部１４が設けられている（以下、一端・他端方向を前後方向として説明する。）。蓋開成ばね２１は、蓋体２０の閉じられる間に、蓋体２０を開放停止位置まで開かせるのに十分な付勢力を蓄積する。
【００２７】
図１、図４に示すように、蓋操作部材３０は、軸部３２回りで上下に揺動自在に設けられている。第１復帰ばね３１は、蓋操作部材３０の押し下げ操作により蓋操作部材３０を操作待受位置まで復帰させるのに十分な付勢力を蓄積する。第１実施形態において、操作待受位置は、蓋操作部材３０が第１復帰ばね３１の付勢により上昇し切った位置であり、ボタン部３３が露出するようになっている。
【００２８】
図５に示すように、蓋係止部材４０は、押し下げ操作を受ける蓋操作部材３０と互いのテーパカム面３４、４３で接触することにより肩部１３に対して反ロック方向に直線移動させられるスライダからなる。第１実施形態におけるロック方向、反ロック方向は、上記の往復方向に一致し、肩部１３に近づく前方向がロック方向、肩部１３に遠ざかる後方向が反ロック方向になっている。なお、図５は、蓋操作部材３０の押し下げ操作によりテーパカム面３４、４３が接触した瞬間を示している。
【００２９】
第２復帰ばね４１は、蓋係止部材４０の反ロック方向動により蓋係止部材４０を肩部１３と引っ掛かる位置まで復帰させるのに十分な付勢力を蓄積する。第２復帰ばね４１によりロック方向に付勢された蓋係止部材４０は、ロック方向の停止位置まで前進しきる。
【００３０】
第１実施形態において「肩部１３と引っ掛かる位置」とは、図５（ｂ）に示すように、蓋係止部材４０が肩部１３に形成された係合凹部１６の内壁上端部と上下に掛り得る位置である。この状態で蓋体２０が開放停止位置から閉じられると、図示された蓋係止部材４０の先端部４２と肩部１３の当て壁１５との位置関係から明らかなように、その先端部４２が肩部１３の当て壁１５に接触する。この接触により蓋係止部材４０が反ロック方向に後退させられ、蓋係止部材４０の先端部４２が当て壁１５を通過後に図２、図５（ｂ）に示す係合凹部１６に臨むと、第２復帰ばね４１の付勢により蓋係止部材４０がロック方向に前進し、これにより蓋係止部材４０の先端部４２は、係合凹部１６に入り込み、蓋開成ばね２１の付勢に抗して係合凹部１６の内壁上端部に引っ掛かる。この引っ掛かりにより、蓋体２０の開放が阻止される。
【００３１】
蓋係止部材４０と蓋操作部材３０は、蓋操作部材３０の押し下げ操作により蓋係止部材４０側が蓋操作部材３０側に対してロック方向に接触し、かつ蓋操作部材３０側が蓋係止部材側４０に対して反ロック方向に接触する状態を維持しつつ、蓋係止部材４０側が上、かつ蓋操作部材３０側が下となる係合部４４、３５を有している。蓋操作部材３０の係合部３５は、テーパカム面３４の反ロック方向端３４ａから上側に連続している。蓋係止部材４０の係合部４４は、テーパカム面４３のロック方向端４３ａから下側に連続している。係合部４４は、下向きに進むに連れて反ロック方向に逃げるテーパ状になっている。一方、係合部３５は、上向きに進むに連れてロック方向に逃げるテーパ状になっている。これらテーパ状は、軸部３２回りで上下に揺動する蓋操作部材３０の押し下げ操作により両係合部３５、４４がテーパカム面３４、４３から円滑に移動することを可能にしている。
【００３２】
すなわち、図５（ｂ）の状態から、さらに蓋操作部材３０の押し下げ操作が行われることにより、蓋係止部材４０が蓋操作部材３０のテーパカム面３４で反ロック方向に押され、蓋係止部材４０のテーパカム面４３及び係合部４４が蓋操作部材３０の孔３６に次第に入り込む。やがて、図６、図７に示すように、蓋操作部材３０のテーパカム面３４が蓋係止部材４０のテーパカム面４３を通過したとき、蓋係止部材４０の先端部４２は、肩部１３の係合凹部１６との引っ掛かりを外された位置にある。なお、図６、図７は、先端部４２の引っ掛かりが外された位置において両係合部３５、４４が係合した状態を示している。
【００３３】
テーパカム面３４の反ロック方向端３４ａがテーパカム面４３のロック方向端４３ａを通過すると、蓋操作部材３０の押し下げ操作に抵抗を与えることなく、蓋操作部材３０の係合部３５は、引き続き蓋係止部材４０の係合部４４の下に潜るように移動し、係合部４４の下に重なる。この間、両係合部３５、４４は、係合部４４が係合部３５に対してロック方向に接触し、かつ係合部３５が係合部４４に対して反ロック方向に接触する状態を維持するようになっており、これにより、蓋係止部材４０のロック方向動を阻止し続ける。このため、蓋係止部材４０は、肩部１３と引っ掛かる位置に達することが阻止されている。その結果、第１復帰ばね３１及び第２復帰ばね４１の付勢に抗して、肩部１３との引っ掛かりを外された位置にある蓋係止部材４０によって蓋操作部材３０が上昇を阻止され、その蓋係止部材４０が蓋操作部材３０によってロック方向動を阻止された係合状態になる。すなわち、蓋操作部材３０の押し下げ操作を利用した係合により、蓋係止部材４０は、肩部１３の係合凹部１６との引っ掛かりを外された位置に蓋体２０の内部で仮固定される。第１復帰ばね３１、第２復帰ばね４１の付勢の力関係は、両係合部３５、４４の係合状態、すなわち蓋係止部材４０の仮固定が維持されるように設定されている。
【００３４】
図６、図７の状態から蓋体２０が自動開放を始め、図８に示すように、蓋体２０の自動開放の途中で、蓋係止部材４０の先端部４２は、肩部１３の係合凹部１６より高い位置、かつ当て壁１５より低い位置に形成された当て壁１７に接触する。すなわち、蓋係止部材４０の先端部４２は、肩部１３の係合凹部１６に引っ掛かり不可能な位置に至ってから当て壁１７に接触する。この接触により、図６のように仮固定された蓋係止部材４０が反ロック方向に押される結果、さらに反ロック方向に強制移動させられると、図８のように上記両係合部４４、３５の上下の重なりが外れ、蓋操作部材３０が第１復帰ばね３１の付勢により上昇し、係合が解除される。上記のように係合部４４がさらに反ロック方向に動かされている間（すなわち、さらに反ロック方向に移動してから元の仮固定位置に戻ってくるまでの間）に、蓋操作部材３０の係合部３５は、係合部４４との係合が不可能な位置に上昇させられる。このため、上記の仮固定が解除される。仮固定が解除されたとき、先端部４２は、肩部１３の係合凹部１６に引っ掛かり不可能な位置にあるため、第２復帰ばね４１によりロック方向に前進させられても再掛りが生じることはない。また、蓋操作部材３０は、ばね付勢により操作待受位置に復帰させられる。また、蓋体２０は、ばね付勢により開放停止位置まで開き切る。
【００３５】
蓋操作部材３０の誤操作により上記の仮固定状態で蓋体２０が開放停止位置から閉じられると、図９に示すように、蓋係止部材４０の先端部４２が肩部１３の当て壁１５に接触することにより、当て壁１７のときと同じように仮固定が解除される。このため、先端部４２は、第２復帰ばね４１のばね付勢により係合凹部１６に入り込むことができる。
【００３６】
上記の第１実施形態によれば、蓋係止部材４０は、蓋操作部材３０の押し下げ操作により肩部１３の係合凹部１６から外された位置で、その蓋操作部材３０との係合により仮固定される。その仮固定は、蓋体２０の自動開放により蓋係止部材４０が肩部１３の係合凹部１６に引っ掛かり不可能な位置に至ってから当て壁１７との接触により解除される。このため、第１実施形態は、蓋係止部材４０の再掛りを確実に防止することができる。しかも、第１実施形態は、上記の仮固定を蓋体２０の内部で行うため、肩部１３に孔を空ける必要がない。また、第１実施形態は、蓋係止部材４０を仮固定するため、再掛りを防止する目的で蓋体２０を閉じる操作が重くならない。
【００３７】
また、第１実施形態は、従来と同じような直線スライダ方式の蓋係止部材４０を採用しながら、その蓋係止部材４０、蓋操作部材３０、及び第１復帰ばね３１を利用した単純な構成で仮固定を実現することができる。
【００３８】
また、第１実施形態は、蓋操作部材３０のテーパカム面３４と蓋係止部材４０のテーパカム面４３の滑り接触で案内しながら、これらテーパカム面３４、４３に連続する両係合部３５、４４を円滑に係合位置に導き、確実に仮固定することができる。
【００３９】
特に、第１実施形態は、蓋操作部材３０の左右両側でテーパカム面３４、４３が滑り接触し、蓋係止部材４０のテーパ面４３及び係合部４４が蓋操作部材３０の孔３６に次第に入るため、蓋操作部材３０の押し下げ操作の間、テーパ面４３及び係合部４４と孔３６の内周により蓋操作部材３０の揺動先端側を左右に位置決めをしながら係合させられる。このため、第１実施形態は、孔３６に代えて切欠きを採用した構成と比して、仮固定をより確実に行うことができる。
【００４０】
また、第１実施形態は、上記のように再掛りが防止された後、蓋係止部材４０と当て壁１７との接触により仮固定が自動的に解除されるため、手動操作による仮固定解除の煩わしさがない。
【００４１】
また、第１実施形態は、蓋体２０を閉じるときに蓋係止部材４０が仮固定されていたとしても、蓋係止部材４０と肩部１３の当て壁１５との接触で仮固定が自動的に解除されるため、蓋操作部材３０の誤操作があっても蓋体２０を閉じることができる。このため、蓋係止部材４０の先端部４２を反ロック方向に押して仮固定を手動解除する煩わしさがない。
【００４２】
この発明に係る第２実施形態（以下、単に「第２実施形態」と略称する。）を図１０に基いて説明する。以下、上記第１実施形態との相違点を中心に述べる。
図示のように、第２実施形態の蓋操作部材３０のテーパカム面５１は、磁性材からなり、蓋操作部材３０の他の部分は合成樹脂で射出成形されている。一方、蓋係止部材４０のうちテーパカム面５２の下方に位置するロック方向端に、永久磁石５３が設けられている。蓋係止部材４０の他の部分は合成樹脂で射出成形されている。
【００４３】
蓋操作部材３０の押し下げ操作により、テーパカム面５１が蓋係止部材４０のテーパカム面５２を通過すると、永久磁石５３は、蓋操作部材３０の孔３６内に入り込み、テーパカム面５１の反ロック方向端を磁気吸引する。この結果、蓋操作部材３０と蓋係止部材４０とが磁気的に結合され、蓋操作部材３０のばね付勢による上昇が磁気吸引力により阻止される。蓋係止部材４０は、蓋操作部材３０によりロック方向動を阻止される、すなわち仮固定される。両部材３０、４０の他の部分が非磁性材からなるため、永久磁石５３の磁気吸引力が想定外の時期、部分に影響する心配はない。
【００４４】
蓋体２０の開閉の途中で蓋係止部材４０の先端部４２が肩部１３の当て壁１５又は当て壁１７に当ると、蓋係止部材４０が反ロック方向に押されて磁気吸引が強制的に外れ、その間に蓋操作部材３０は、もはやテーパカム面５１の磁気吸引が不可能な位置に上昇する。このため、蓋係止部材４０の仮固定が自動的に解除される。
【００４５】
第２実施形態は、永久磁石５３の磁気吸引で蓋係止部材４０の仮固定を行うため、摩耗によって仮固定が甘くなる心配がない。
【００４６】
なお、第２実施形態においては、永久磁石を蓋操作部材側に設け、磁性材を蓋係止部材に設けることができ、両部材に永久磁石を設けることもできる。
【００４７】
この発明に係る第３実施形態（以下、単に「第３実施形態」と略称する。）を図１１に基いて説明する。
図示のように、第３実施形態の蓋体２０は、蓋係止部材４０の反ロック方向のスライド空間上に突き出たフック壁６１を有している。フック壁６１は、蓋体２０の内部組み込み空間の内壁を構成する蓋部品２３に設けられている。蓋部品２３は、例えば、上蓋部材と上下に組み合わせて蓋体２０の内部空間を形成する下蓋部材、下蓋部材の上面に添え付けられる補強板等である。前記下蓋部材は、合成樹脂の射出成形品とされるため、フック壁６１を含めて一体成形することができる。前記補強板は、鋼板の板金プレス品とされるため、切り起こしでフック壁６１を一体に形成することができる。
【００４８】
蓋操作部材３０は、押し下げ操作によりフック壁６１に係合させられるフック脚６２を有している。蓋操作部材３０の押し下げ操作により、フック脚６２がフック壁６１を押し退け、フック脚６２の横壁がフック壁６１の横壁を乗り越えた後、フック壁６１の弾性回復によりフック脚６２の横壁がフック壁６１の横壁により上方から押さえられる係合状態になる。この係合状態は、蓋係止部材４０が肩部１３の係合凹部１６との引っ掛かりを外されたときに得られるようになっている。なお、図１１（ａ）はこの瞬間を示している。このとき、蓋操作部材３０は、ばね付勢による上昇をフック壁６１により阻止される。
【００４９】
蓋係止部材４０のテーパカム面６３は、フック壁６１により上昇を阻止された蓋操作部材３０のテーパカム面６４と接触するようになっている。このため、蓋係止部材４０は、フック壁６１により上昇を阻止された蓋操作部材３０より仮固定される。
【００５０】
仮固定された蓋係止部材４０の先端部４２は、当て壁１７に当ることにより、さらに反ロック方向に押し動かされ、これによりフック壁６１が蓋係止部材４０の反ロック方向端４５に押し倒される結果、蓋操作部材３０のフック脚６２とフック壁６１のとの係合が外される。フック壁６１が弾性回復する間に、フック脚６２は蓋操作部材３０のばね付勢によりフック壁６１と再係合不可能な位置まで上昇する。その結果、テーパカム面６３、６４が離れて蓋係止部材４０の仮固定が解除される。なお、図示省略するが、蓋係止部材４０が仮固定された状態で蓋体２０が閉じられると、先端部４２が当て壁１５に接触し、このときも当て壁１７のときと同じように仮固定が解除される。
【００５１】
この発明に係る第４実施形態（以下、単に「第４実施形態」と略称する。）を図１２〜図１７に基いて説明する。
図１２、図１３に示すように、第４実施形態は、圧力式の炊飯器になっており、蓋体７０の内部に圧力調整弁、弁操作機構等が組み込まれている。
【００５２】
蓋体７０は、蓋係止部材８０の反ロック方向の回転空間上に突き出たフック壁７１を有している。フック壁７１が蓋体７０の蓋部品に設けられている点は、上記第３実施形態と同じである。
【００５３】
蓋係止部材８０は、その回転軸８１回りで第２復帰ばね８２によりロック方向に付勢されたフック部材からなる。この第４実施形態において、ロック方向は、肩部１００の係合凹部１０１に近づく反時計回り、反ロック方向は、係合凹部１０１から遠ざかる時計回りである。蓋係止部材８０は、調理時の圧力に耐えさせるために鋼製とされ、また、省スペース化、加工性を考慮し、板金プレス加工品とされている。
【００５４】
蓋操作部材９０は、上記第１実施形態と同じく揺動方式のものである。図１４に示すように、蓋操作部材９０の押し下げ操作により蓋係止部材８０の蓋体内側の傾斜部８３が蓋操作部材９０の脚部９１に押され、これにより蓋係止部材８０が反ロック方向に回転させられる。この反ロック方向回転により、蓋体７０の外側に位置するフック部８４が肩部１００の係合凹部１０１から外れるようになっている。蓋係止部材８０の蓋体７０の内側に位置する突片部８５は、上記の反ロック方向の回転中にフック壁７１の横壁を押し退ける（図１４中に反ロック方向回転の途中を二点鎖線で示す）。上記反ロック方向の回転により、図１５に示すように、フック壁７１の横壁は、弾性回復により突片部８５を上方から押さえる係合状態になる。この係合により、蓋係止部材８０は、フック壁７１でロック方向に回転止めされる、すなわち仮固定される。この仮固定がなされたとき、蓋係止部材８０のフック部８４は、肩部１００の係合凹部１０１との引っ掛かりを外されている。なお、図１５は、上記仮固定がなされた瞬間を示している。
【００５５】
蓋係止部材８０とフック壁７１との接触部分を突片部８５としたのは、フック壁７１の回転止めを達成する上で不必要に蓋係止部材８０が蓋体内部で大型にならないようにするためである。
【００５６】
蓋操作部材９０は、上記の仮固定の有無にかかわらず、押し下げ操作を受けなくなると、ばね付勢により操作待受位置に復帰させられる。
【００５７】
仮固定された蓋係止部材８０は、図１６に示すように、蓋体７０の自動開放の途中で肩部１００の当て壁１０２に接触し、この接触で蓋係止部材８０にロック方向の回転トルクが与えられる。その結果、図１７に示すように、蓋係止部材８０は、フック壁７１を押し退けてロック方向に強制回転させられ、これにより、蓋係止部材８０の仮固定が解除される。なお、図１７中に二点鎖線で図１６における蓋係止部材８０の位置を示した。
【００５８】
蓋体７０が開放停止位置にあるとき、仮固定されていない蓋係止部材８０は、第２復帰ばね８２が存在するため、肩部１００に引っ掛かる位置に維持される。第４実施形態において「肩部１００に引っ掛かる位置」とは、蓋係止部材８０がばね付勢でロック方向に回転し切った位置である。この位置に蓋係止部材８０がある状態で蓋体７０が開放停止位置から閉じられると、図１２に示された蓋係止部材８０のフック部８４と、肩部１００の係合凹部１０１より高い位置に形成された当て壁１０３との位置関係から明らかなように、フック部８４は当て壁１０３に接触する。この接触により蓋係止部材８０は、一旦、反ロック方向に回転させられ、やがて、フック部８４が当て壁１０３の下方に形成された係合凹部１０１に臨むと、第２復帰ばね８２の付勢により蓋係止部材８０がロック方向に回転し、この回転により、フック部８４は、係合凹部１０１に入り込み、蓋開成ばねの付勢に抗して係合凹部１０１の内壁上端に引っ掛かる。
【００５９】
図１６に示されたフック部８４と、肩部１００の当て壁１０３より高い位置に形成された当て壁１０４との位置関係から明らかなように、蓋係止部材８０が仮固定された状態で蓋体７０が閉じられると、フック部８４は当て壁１０４に接触する。この接触により、蓋係止部材８０は、ロック方向に強制的に回転させられ、これにより上記当て壁１０２のときと同じように仮固定が解除される。このように仮固定が解除された後、フック部８４は当て壁１０３に接触し、係合凹部１０１に入り込む。このため、蓋体７０は問題なく閉じられる。
【００６０】
この発明に係る第５実施形態（以下、単に「第５実施形態」と略称する。）を図１８、図１９に基いて説明する。以下、第４実施形態との相違点を述べる。
図１８に示すように、第５実施形態は、上記第４実施形態のフック壁に代えて、突片部８５の反ロック方向の回転空間上に永久磁石７２が設けられている。図１９に示すように、蓋操作部材９０の押し下げ操作により蓋係止部材８０が反ロック方向に回転させられると、突片部８５が永久磁石７２に接近し、やがて永久磁石７２の磁気吸引により仮固定される。
【００６１】
第５実施形態は、蓋係止部材８０が磁性材である鋼板製のため、単に永久磁石７２を設けるだけで蓋係止部材８０の仮固定を実現することができ、フック壁のときのような摩耗や疲労破壊の心配がない。
【００６２】
この発明に係る第６実施形態（以下、単に「第６実施形態」と略称する。）を図２０、図２１に基いて説明する。
図示のように、第６実施形態は、上記第４実施形態のフック壁に代えて、蓋体７０の内部に、突片部８５の反ロック方向の回転空間上に突き出た前進位置と、その回転空間上から退避した後退位置との間を進退可能、かつ前進位置に復帰するようにばね付勢されたロックスライダ７３を備えている。
【００６３】
蓋係止部材８０の突片部８５は、反ロック方向の回転中にロックスライダ７３を前進位置から後退位置に押し退け、この間にばね７４に蓄積された付勢力によりロックスライダ７３が前進位置に復帰する。復帰したロックスライダ７３が突片部８５の上に重なり、これにより、蓋係止部材８０は、ロックスライダ７３によりロック方向に回転止めされる、すなわち仮固定される。
【図面の簡単な説明】
【００６４】
【図１】第１実施形態に係る蓋付き容器の全体構成を左側から示す縦断面図
【図２】第１実施形態の肩部の前側を後方側から示す斜視図
【図３】第１実施形態の蓋体の要部分解斜視図
【図４】図１の蓋係止部材の付近の拡大図
【図５】ａは第１実施形態の蓋操作部材が蓋係止部材に接した状態を示す斜視図、ｂは前記ａの接触部分を示す要部縦断面図
【図６】ａは第１実施形態の蓋係止部材と蓋操作部材が係合する状態を示す斜視図、ｂは前記ａの係合部分を示す要部縦断面図
【図７】図６の状態の上面図
【図８】図６の状態から蓋体が開放される途中で蓋係止部材の仮固定が解除される様子を示す要部縦断面図
【図９】第１実施形態の蓋係止部材が仮固定されたまま蓋体が閉じられる途中で肩部の当て壁に蓋係止部材が接触する様子を示す要部縦断面図
【図１０】第２実施形態に係る蓋付き容器の蓋係止部材が仮固定された状態を示す要部縦断面図
【図１１】ａは第３実施形態に係る蓋付き容器の蓋係止部材が仮固定された状態を示す要部縦断面図、ｂは前記ａの状態から仮固定が解除される様子を示す要部縦断面図
【図１２】第４実施形態に係る蓋付き容器の全体構成を左側から示す縦断面図
【図１３】第４実施形態の蓋体の要部分解斜視図
【図１４】第４実施形態の蓋係止部材が反ロック方向に回転する様子を示す要部縦断面図
【図１５】第４実施形態に係る蓋付き容器の蓋係止部材が仮固定された状態を示す要部縦断面図
【図１６】図１５の状態から蓋体が開放される途中で蓋係止部材が肩部の当て壁に接触する様子を示す要部縦断面図
【図１７】図１６の状態から蓋係止部材の仮固定が解除される様子を示す要部縦断面図
【図１８】第５実施形態に係る蓋付き容器の要部を示す斜視図
【図１９】第５実施形態に係る蓋付き容器の蓋係止部材が仮固定された状態を示す要部縦断面図
【図２０】第６実施形態に係る蓋付き容器の要部を示す斜視図
【図２１】第６実施形態に係る蓋付き容器の蓋係止部材の仮固定と固定解除の様子を示す要部縦断面図
【符号の説明】
【００６５】
１０  容器
１１  収容口
１２  内鍋
１３、１００  肩部
１４  入力部
１５、１０２、１０３、１０４  当て壁
１６、１０１  係合凹部
１７  当て壁
２０、７０  蓋体
２１  蓋開成ばね
２２  ヒンジ軸
２３  蓋部品
３０、９０  蓋操作部材
３１  第１復帰ばね
３２  軸部
３３  ボタン部
３４、４３、５１、５２、６３、６４  テーパカム面
３４ａ  反ロック方向端
３５、４４  係合部
３６  孔
４０、８０  蓋係止部材
４１、８２  第２復帰ばね
４２  先端部
４３ａ  ロック方向端
４５  反ロック方向端
５３、７２  永久磁石
６１、７１  フック壁
６２  フック脚
７３  ロックスライダ
７４  ばね
８１  回転軸
８３  傾斜部
８４  フック部
８５  突片部
９１  脚部
【図１】
0005064287.tif 000002
【図２】
0005064287.tif 000003
【図３】
0005064287.tif 000004
【図４】
0005064287.tif 000005
【図５】
0005064287.tif 000006
【図６】
0005064287.tif 000007
【図７】
0005064287.tif 000008
【図８】
0005064287.tif 000009
【図９】
0005064287.tif 000010
【図１０】
0005064287.tif 000011
【図１１】
0005064287.tif 000012
【図１２】
0005064287.tif 000013
【図１３】
0005064287.tif 000014
【図１４】
0005064287.tif 000015
【図１５】
0005064287.tif 000016
【図１６】
0005064287.tif 000017
【図１７】
0005064287.tif 000018
【図１８】
0005064287.tif 000019
【図１９】
0005064287.tif 000020
【図２０】
0005064287.tif 000021
【図２１】
0005064287.tif 000022